(57)【要約】【課題】  比較的簡単な作業により、親局と各子局との間の通信状態を試験して確認することが可能な、通信システムの回線試験方法を提供する。【解決手段】  親局と共に、複数の子局を無線回線又は有線回線を介して互いに接続し、親局から子局に一斉指令を送信する通信システムの回線試験方法では、（１）通信システムによる一斉指令の送信の際、一斉指令の起動信号に回線試験データを重畳して複数の子局に送信し、（２）複数の子局の各々は、一斉指令を受信すると共に、指令に重畳して送信された回線試験データを受信して親局との間の回線状態を把握して回線試験データの受信結果を作成し、そして、一斉指令に対する確認信号を送信する際、受信した回線試験データの受信結果を重畳して返送し、（３）親局は、各子局で重畳して返送した回線試験データの受信結果を基に、複数の子局との間の回線状態を把握する。【選択図】  図３
2008091990.tif 000002
【特許請求の範囲】
【請求項１】
親局と共に、複数の子局を無線回線又は有線回線を介して互いに接続し、前記親局から前記複数の子局に対して一斉指令を送信する通信システムにおいて、当該回線の試験を行う通信システムの回線試験方法であって、
当該通信システムによる一斉指令の送信の際、当該一斉指令の起動信号に回線試験データを重畳して前記複数の子局に送信し、
前記複数の子局の各々は、前記一斉指令を受信すると共に、当該指令に重畳して送信された回線試験データを受信して前記親局との間の回線状態を把握して回線試験データの受信結果を作成し、そして、前記一斉指令に対する確認信号を送信する際、当該受信した回線試験データの受信結果を重畳して返送し、
前記親局は、当該各子局で重畳して返送した前記回線試験データの受信結果を基に、当該複数の子局との間の回線状態を把握することを特徴とする通信システムの回線試験方法。
【発明の詳細な説明】
【技術分野】
【０００１】
本発明は、通信システムにおける回線状態を試験する通信システムの回線試験方法に関し、特に、親局から多数の子局に対して一斉指令を送信する通信システムにおける通信システムの回線試験方法に関する。
【背景技術】
【０００２】
従来、例えば、防災行政無線に代表されるように、行政の中心に位置する統制局（親局）と隔地に配置された多数の子局との間を、無線回線又は有線回線で接続し、もって、災害発生等の緊急時において、当該統制局（親局）から、災害の発生に対する指令を、一斉に、複数の子局に対して伝達する通信システム（即ち、一斉指令システム）は、例えば、以下の特許文献１により、既に知られている。
【０００３】
即ち、この特許文献１により知られた通信システムでは、回線の状態によらず、親局と複数の子局間における一斉指令を、より確実かつより早く伝達するため、地上回線のみならず、衛星回線をも利用するものであり、これによれば、統制局から子局に対して一斉指令を発令するときに、統制局は、上記の両回線を利用して、一斉指令の起動信号をそれぞれ送信し、他方、子局側では、上記両回線のうち、先に受信した一斉指令の起動信号により、一斉指令を受信するものである。
【特許文献１】特開平１０−２７１０６３号公報
【発明の開示】
【発明が解決しようとする課題】
【０００４】
上述したように、従来技術では、親局と複数の子局間における回線の状態によらず、地上回線と共に衛星回線を利用することにより、例えば、一方の回線状態が異常な場合でも、他方の回線を利用することにより、より確実かつより早く、一斉指令を伝達することが可能であるが、しかしながら、親局と複数の子局間における回線の状態を把握することに関しては、何らの考慮もされていなかった。
【０００５】
ところで、一般に、かかる通信システムにおいては、災害発生時の緊急時における確実な通信を確保するため、緊急時以外においても、親局と複数の子局間における回線の試験（所謂、メンテナンス）を行うが、通常、その際には、親局から実際に一斉指令を発信し、これを各子局で受信することにより行う。より具体的には、上記親局から発信された一斉指令を各子局で受信し、そして、その受信結果を基に、親局と当該各子局との間の受信状態を、それぞれ、把握することにより行われている。
【０００６】
そのため、従来の通信システムの回線試験方法では、親局と当該各子局との間の受信状態を、それぞれ、各子局において把握することが必要となり、その作業も当該子局の数にも比例する。特に、一般に、多数の子局を備えることとなる上記防災行政で利用される通信システムでは、そのための作業や手数も膨大なものとなってしまい、経済的に負担となってしまうという問題点が生じていた。
【０００７】
そこで、本発明は、上述した従来技術、更には、従来の通信システムの回線試験方法における問題点に鑑みて成されたものであり、その目的は、比較的簡単な作業により、親局と各子局との間の通信状態を試験して確認することが可能な、通信システムの回線試験方法を提供することを目的とするものである。
【課題を解決するための手段】
【０００８】
本発明によれば、上述した目的を達成するため、親局と共に、複数の子局を無線回線又は有線回線を介して互いに接続し、前記親局から前記複数の子局に対して一斉指令を送信する通信システムにおいて、当該回線の試験を行う通信システムの回線試験方法であって、当該通信システムによる一斉指令の送信の際、当該一斉指令の起動信号に回線試験データを重畳して前記複数の子局に送信し、前記複数の子局の各々は、前記一斉指令を受信すると共に、当該指令に重畳して送信された回線試験データを受信して前記親局との間の回線状態を把握して回線試験データの受信結果を作成し、そして、前記一斉指令に対する確認信号を送信する際、当該受信した回線試験データの受信結果を重畳して返送し、前記親局は、当該各子局で重畳して返送した前記回線試験データの受信結果を基に、当該複数の子局との間の回線状態を把握する通信システムの回線試験方法を提供するものである。
【発明の効果】
【０００９】
即ち、上述した本発明になる通信システムの回線試験方法によれば、比較的簡単な作業により実行可能であり、親局と各子局との間の通信状態を実際に試験して確認することが可能でることから、より確実に、親局と複数の子局間における回線の試験（所謂、メンテナンス）を行うことが可能な通信システムの回線試験方法を提供することが可能となるという、実用的にも優れた効果を達成することが可能となる。
【発明を実施するための最良の形態】
【００１０】
以下、本発明の一実施の形態になる通信システムの回線試験方法について、添付の図面を参照しながら、詳細に説明する。
まず、添付の図１は、本発明の回線試験方法が行われる通信システムの構成を示すブロック図であり、図中の符号１は、例えば、地方の防災システムにおいて、県庁等、地域の中心に配置される親局（統制局）を示しており、他方、図中の符号２は、当該地方の市町村など、隔地に多数配置された子局を示している。
【００１１】
また、親局（統制局）１は、図にも示すように、例えば、一斉指令を入力するための入力や表示を行うための入出力装置を含め、所謂、コンピュータから構成された指令台４を備えており、そして、親局回線制御装置３を介して、無線回線又は有線回線７へ接続されている。なお、ここで、無線回線には、衛星通信を含み、また、有線回線には、地上回線をも含む。
【００１２】
一方、隔地に多数が配置された子局２１〜ｎも、ほぼ上記親局（統制局）１と同様に、コンピュータから構成された受令台６１〜ｎを備えており、そして、子局回線制御装置５１〜ｎを介して、やはり、上記の無線回線又は有線回線７へ接続されている。即ち、これら親局（統制局）１と多数の子局２は、上記無線回線又は有線回線７を介して互いに接続されており、例えば、災害発生等の緊急時において、統制局（親局）からの指令を、上記多数の子局に対して、一斉に、伝達することができる。
【００１３】
続いて、上述した一斉指令が可能な通信システムにおける本発明になる回線試験方法について、添付の図２〜４を参照しながら説明する。
まず、添付の図２は、本発明になる回線試験方法のフローを示すフローチャート図であり、また、図３は、この時の動作シーケンスを示するシーケンス図である。
【００１４】
図２にも示すように、親局から複数の子局２１〜ｎに対して一斉指令を送信するため、まず、子局を起動するための起動信号を生成すると共に、回線試験用のデータを重畳して、起動信号を子局に対して送信する（ステップＳ２１）。なお、この起動信号と、これに重畳された回線試験データの一例が、添付の図４に示されており、そして、図からも明らかなように、この回線試験データが重畳された起動信号に続いて、統制局（親局）１からの指令、即ち、一斉指令が送信される。更に、図３のシーケンス図にも示すように、子局２１〜ｎを起動させる起動信号に回線試験データを重畳させて、一定時間、送信を行う（符号Ｓ２１を参照）。
【００１５】
次に、上記回線試験データを重畳した起動信号を受信した各子局２１〜ｎは、起動信号を受信したことを確認する確認信号を生成するが、その際、当該起動信号に重畳されて送信された回線試験データをも受信する。そして、回線試験データの受信結果を基に、当該各子局２は、統制局（親局）１との間の回線状態を把握し、回線試験データ受信結果として当該確認信号に重畳して、統制局（親局）１へ送信する（ステップＳ２２）。
【００１６】
ここで、当該各子局２と統制局（親局）１との間の回線状態（即ち、回線試験データ受信結果）は、上記図４にも示すように、起動信号に続いて、例えば、予めその内容が設定されたデジタルデータを重畳して統制局（親局）１から送信することによれば、これを受信した子局２側において、その受信したデジタルデータの内容を基に、そのエラーレートを調べることによって、容易に把握することが可能である。また、子局２１〜ｎから統制局（親局）１への送信の際には、それぞれ、一定の間隔で、互いに重ならないように送信する。なお、この状況が、図３においても、同様に、符号Ｓ２２で示されている。
【００１７】
その後、統制局（親局）１は、上記各子局２１〜ｎからの確認信号の受信を確認した後、一斉指令の内容を、任意の時間、送信する（ステップＳ２３）。
【００１８】
次に、上記統制局（親局）１からの一斉指令の内容を受信した各子局２１〜ｎは、その確認信号を統制局（親局）１へ送信し（ステップＳ２４）、更に、他の一斉指令があれば、上記と同様の動作を繰り返し（ステップＳ２５）、そして、全ての一斉指令内容の送信を完了した後、最後に、子局を終了させる終了信号を、一定時間、各子局２１〜ｎに対して送信し（ステップＳ２６）、もって、一連の動作を終了する。なお、この時、その確認信号は、例えば、指令内容を受信中であること、正常に受信していること、又は、異常受信であることを内容とするものであり、これは、各子局２１〜ｎが確認信号の送信のタイミングで判定したものである。
【００１９】
そして、上記によれば、統制局（親局）１は、上記の確認信号と共に、各子局２１〜ｎにおいて、それぞれ、回線試験データの受信結果を基にして得られた回線状態（即ち、回線試験データ受信結果）を受信することから、当該受信した回線状態を利用することにより、親局１でも、複数の子局との間の回線状態を、容易に、確認することが可能となる。
【００２０】
なお、その一例として、例えば、添付の図５にも示すように、横軸の各子局２１〜ｎに対して、それぞれで得られたエラーレートを表示し、一方、縦軸のエラーレートに対して予め定めた基準値（Ｔｈ）を設定しておくことによれば、容易に、当該通信システムにおける複数の子局との間の回線状態を、確認することが可能となる。なお、かかるグラフは、親局（統制局）１側に設けられた指令台４を構成する入出力装置のディスプレイ上に表示することが出来る。また、複数の子局との間の回線状態の分析には、当該指令台４を構成するコンピュータを利用することにより、例えば、予め所定の解析プログラムなどを記憶装置に格納しておくことにより、自動的に行うことも可能である。また、各子局２１〜ｎにおいて得られた統制局（親局）との間の回線状態についても、当該各子局を構成する受令台６１〜ｎのコンピュータのディスプレイ上に表示することも可能であろう。また、各子局との間の回線状態を表示する際に、アラーム等を鳴らすことも可能であろう。
【００２１】
更に、以上の説明では、複数の子局２１〜ｎと統制局（親局）１との間の回線状態（即ち、回線試験データ受信結果）は、起動信号に重畳したデジタルデータを利用して、そのエラーレートを測定することにより得るものとして説明したが、しかしながら、本発明では、それにのみ限定されることなく、子局と統制局（親局）との間の回線状態が分かるものであれば、その他の手法を用いることも可能である。
【００２２】
また、上記の通信システムの回線試験方法によれば、メンテナンス時のみならず、実際の災害発生の際における一斉指令の伝達においても、各子局との個別の回線状態を、一斉指令の送信と同時に把握することが出来ることから、より確実、一斉指令の伝達を行うことを可能とするという優れた効果をも達成する。
【図面の簡単な説明】
【００２３】
【図１】本発明になる回線試験方法が行われる通信システムの構成を示すブロック図である。
【図２】上記本発明の回線試験方法におけるフローを示すフローチャート図である。
【図３】上記本発明の回線試験方法の動作シーケンスを示するシーケンス図である。
【図４】上記本発明の回線試験方法を行う際の一斉指令信号の詳細構造を示す図である。
【図５】上記本発明の回線試験方法における回線状態の表示の一例を示す図である。
【符号の説明】
【００２４】
１      親局
２１〜ｎ    複数の子局
３      親局回線制御装置
４      指令台
５１〜ｎ    複数の子局回線制御装置
６１〜ｎ    複数の受令台
７      無線回線又は有線回線
【図１】
2008091990.tif 000003
【図２】
2008091990.tif 000004
【図３】
2008091990.tif 000005
【図４】
2008091990.tif 000006
【図５】
2008091990.tif 000007
【手続補正書】
【提出日】平成18年10月11日(2006.10.11)
【手続補正１】
【補正対象書類名】図面
【補正対象項目名】全図
【補正方法】変更
【補正の内容】
【図１】
2008091990.tif 000008
【図２】
2008091990.tif 000009
【図３】
2008091990.tif 000010
【図４】
2008091990.tif 000011
【図５】
2008091990.tif 000012